(57)【要約】【課題】認証手段を備えた撮像装置とアクセサリにおいて、複数のアクセサリを撮像装置に装着する際に、複数のアクセサリ認証を並行して行うことにより、ユーザーが撮像装置を起動する際の時間を短縮することを可能とすること。【解決手段】撮像装置は認証手段を備えており、第１のアクセサリが装着された際に前記第１のアクセサリの認証を行うことが可能であり、また、前記第１のアクセサリは認証手段を備えており、第２のアクセサリが装着された際に前記第２のアクセサリの認証を行うことが可能であり、前記撮像装置は、前記第１のアクセサリが装着されている状態で前記第２のアクセサリが装着された際に、前記第１のアクセサリの認証を開始し、前期第１のアクセサリの認証と並行して、前記第１のアクセサリは前記第２のアクセサリの認証を開始することを特徴とする。【選択図】図１
2019129475.tif 000002
【特許請求の範囲】
【請求項１】
撮像装置は認証手段を備えており、第１のアクセサリが装着された際に前記第１のアクセサリの認証を行うことが可能であり、
また、前記第１のアクセサリは認証手段を備えており、第２のアクセサリが装着された際に前記第２のアクセサリの認証を行うことが可能であり、
前記撮像装置は、前記第１のアクセサリが装着されている状態で前記第２のアクセサリが装着された際に、前記第１のアクセサリの認証を開始し、
前期第１のアクセサリの認証と並行して、前記第１のアクセサリは前記第２のアクセサリの認証を開始することを特徴とする撮像装置。
【請求項２】
前記撮像装置と前記第１のアクセサリ及び第２のアクセサリの認証に失敗した場合、表示部により警告を行うことを特徴とする請求項１に記載の撮像装置。
【請求項３】
前記撮像装置と前記第１のアクセサリ及び第２のアクセサリの認証に失敗した場合、前記撮像装置を一部の機能を制限した状態で動作させることを特徴とする請求項１に記載の撮像装置。
【請求項４】
前記第１のアクセサリの認証が完了した後に、前記撮像装置は前記第２のアクセサリの認証結果を前記第１のアクセサリから受信することを特徴とする請求項１に記載の撮像装置。
【発明の詳細な説明】
【技術分野】
【０００１】
本発明は、撮像装置及び、撮像装置に装着するアクセサリに関する。
【背景技術】
【０００２】
ユーザーがデジタルカメラやビデオカメラ等の撮像装置を使用する際、バッテリーグリップ等のアクセサリを装着することにより電池を複数本搭載して、電源の容量を増やすことが可能となっている。このような構成で撮像装置が本来の性能を発揮することを保証するため、所定の条件を満たしたアクセサリが装着された際に、使用を許可するといった方法が知られている。
【０００３】
特許文献１では、ユーザーがアクセサリを装着した撮像装置を本来の性能で使用できるようにするため、ユーザーが撮像装置の入力部からアクセサリの認証を行うために必要な第１キーを入力する必要がある。そして、第１キーに対応した第２キーがあるか否かを撮像装置が判定し、第２キーがあった場合のみに撮像装置を動作させるという技術が開示されている。
【先行技術文献】
【特許文献】
【０００４】
【特許文献１】特開２０１１−２０９４７７号公報
【発明の概要】
【発明が解決しようとする課題】
【０００５】
しかし、上述の特許文献１に開示された従来技術では、アクセサリの数が増えるにつれて認証を行う時間が増え、ユーザが使用を開始するまでの待機時間が長くなってしまうことがあった。
【０００６】
そこで、本発明の目的は、撮像装置に装着する複数のアクセサリの認証を行う際において、複数のアクセサリの認証を並行して行うことにより撮像装置の起動時に要する認証時間を短縮することにある。
【課題を解決するための手段】
【０００７】
上記の目的を達成するために、本発明に係る撮像装置は、
撮像装置は認証手段を備えており、第１のアクセサリが装着された際に前記第１のアクセサリの認証を行うことが可能であり、
また、前記第１のアクセサリは認証手段を備えており、第２のアクセサリが装着された際に前記第２のアクセサリの認証を行うことが可能であり、
前記撮像装置は、前記第１のアクセサリが装着されている状態で前記第２のアクセサリが装着された際に、前記第１のアクセサリの認証を開始し、
前期第１のアクセサリの認証と並行して、前記第１のアクセサリは前記第２のアクセサリの認証を開始することを特徴とする。
【発明の効果】
【０００８】
本発明に係る撮像装置によれば、撮像装置に装着する複数のアクセサリの認証を行う際に、複数のアクセサリの認証を並行して行うことにより、撮像装置の起動時に要する認証時間を短縮することができる。
【図面の簡単な説明】
【０００９】
【図１】本発明の実施例における撮像装置及びアクセサリの電気構成を示すブロック図である。
【図２】実施例における撮像装置の起動シーケンスを示す図である。
【図３】実施例における撮像装置の認証時のタイミングチャートを示す図である。
【図４】実施例における撮像装置とアクセサリの認証時のタイミングを示す図である。
【発明を実施するための形態】
【００１０】
以下に、本発明の好ましい実施の形態を、添付の図面に基づいて詳細に説明する。
【実施例】
【００１１】
図１は、本発明の実施例である撮像装置１００及び前記撮像装置１００に装着可能なアクセサリのブロック構成図である。以下、図１を参照して、本発明の実施例である撮像装置１００及びアクセサリの一種であるバッテリーグリップ２００のブロック構成について説明する。
【００１２】
撮像装置１００は、バッテリーグリップ２００を取り付ける為のネジ穴１０４を有しており、ネジ２０４を締付ける事により前記バッテリーグリップ２００と装着状態になる。
撮像装置１００の制御部１０１は撮像装置各部の制御を行う。電源回路部１０２は、制御部１０１を含む不図示の各回路部へ電源を供給する。表示部１０５は撮像装置１００に具備されているＬＣＤ等であり、ユーザーに操作上における指示や注意喚起を行う際に使用する。また、前記撮像装置１００にはバッテリーグリップ２００と接続する為の接続接点１０３が設けられている。前記接続接点１０３は、電源供給接点１０３ａ，１０３ｃ、ＧＮＤ接続接点１０３ｂ，１０３ｄ、アクセサリ検出信号接点１０３ｅ及び、撮像装置検出接点１０３ｆ、通信信号接点（１０３ｇ〜１０３ｌ）を具備している。
【００１３】
バッテリーグリップ２００は複数の電池２０５を装填可能な構成であり、電池２０５が装填されるとバッテリーグリップ２００の制御部２０１へ電源を供給する。制御部２０１は電源が供給された後、バッテリーグリップ２００各部の制御を行う。また、前記バッテリーグリップ２００には撮像装置１００の接続接点１０３と接続する為の接続接点２０３が設けられている。前記接続接点２０３は、前記撮像装置１００へ電源を供給するための接点である電源供給接点２０３ａ，２０３ｃ、ＧＮＤ接点２０３ｂ，２０３ｄ、前記撮像装置との接続状態を確認するためのアクセサリ検出接点２０３ｅ、撮像装置検出接点２０３ｆを具備している。また、前記接続接点２０３は、前記撮像装置１００と通信を行うための通信接点（２０３ｇ〜２０３ｌ）を具備している。
【００１４】
バッテリーグリップ２００が撮像装置１００へ装着されると、バッテリーグリップ２００に具備された電源供給接点２０３ａ，２０３ｃ、ＧＮＤ接点２０３ｂ，２０３ｄ、アクセサリ検出接点２０３ｃ、撮像装置検出接点２０３ｆ、通信接点（２０３ｇ〜２０３ｌ）のそれぞれが前記撮像装置１００の接続接点１０３と接続される。
【００１５】
撮像装置１００の認証ライブラリ１０６はバッテリーグリップ２００の認証に必要な認証データを生成する。バッテリーグリップ２００の認証ＩＣ２０６は、撮像装置１００で生成されたバッテリーグリップ２００の認証データを受け取り、共通鍵を用いて認証データを解読し、解読結果を撮像装置制御部１０１へ返信して認証を行う。
【００１６】
バッテリーグリップ２００の認証ライブラリ２０２は電池２０５の認証に必要な認証データを生成する。電池２０５の認証ＩＣ２０７は、バッテリーグリップ２００で生成された電池２０５の認証データを受け取り、共通鍵を用いて認証データを解読し、解読結果をバッテリーグリップ制御部２０１へ返信して認証を行う。
【００１７】
図２は撮像装置１００の起動シーケンスをフローチャートで表している。以下に、フローチャートの流れを図１のブロック図と絡めて説明を行う。
【００１８】
ステップＳ１００１において、撮像装置１００に電池２０５が投入される。電池２０５が投入された後、撮像装置制御部１０１はステップＳ１００２で制御部１０１のリセット処理を行い、続いてステップＳ１００３で撮像装置制御部１０１のレジスタ／ポートの初期化を行う。
【００１９】
ステップＳ１００４では撮像装置制御部１０１が図１の信号ライン（ＬＧＳＥＬ）を通してバッテリーグリップ制御部２０１から接続信号を受信し、バッテリーグリップ２００が装着されたか否かを検出する。接続信号がＬレベルの際は、撮像装置制御部１０１がバッテリーグリップ２００と撮像装置１００間のコネクタ接続有りと判断し、ステップＳ１００８へ進む。接続信号がＨレベルの際は撮像装置制御部１０１がバッテリーグリップ２００と撮像装置１００間のコネクタ接続無しと判断し、ステップＳ１００５へ進む。Ｓ１００５では、撮像装置制御部１０１が一定時間バッテリーグリップ制御部２０１からの接続信号を検知し、一定時間内にＬレベルを検知した際はＳ１００８へ進む。撮像装置制御部１０１が一定時間内にＬレベルを検知できなかった際は、Ｓ１００６へ進みＭＡＩＮスイッチのＯＮ／ＯＦＦを判定する。撮像装置制御部１０１がＭＡＩＮスイッチがＯＮであると判定すると、Ｓ１００７へ進み撮像装置の通常起動を行う。Ｓ１００６で撮像装置制御部１０１がＭＡＩＮスイッチがＯＦＦと判定した際は、ユーザーがＭＡＩＮスイッチをＯＮにするまで起動を待つ。
【００２０】
ステップＳ１００８では撮像装置制御部１０１が図１の信号ライン（ＭＲＥＱ＿ＧＲＩＰ）を通して、バッテリーグリップ制御部２０１へＨレベルの通信要求信号を送信し、Ｓ１００９へ進む。
【００２１】
ステップＳ１００９では撮像装置制御部１０１が図１の信号ライン（ＳＲＤＹ＿ＧＲＩＰ）を通して、バッテリーグリップ制御部２０１からのＨレベルの通信応答信号を待つ。撮像装置制御部１０１がバッテリーグリップ制御部２０１からのＨレベルの通信応答信号を検知できた際はＳ１０１２へ進み、検知できなかった際はＳ１０１０へ進み通信応答信号Ｈレベルを一定時間待つ。撮像装置制御部１０１がＨレベルの通信応答信号を一定時間内に検知できた際はＳ１０１２へ進み、一定時間内に検知できなかった際はバッテリーグリップからの信号を適切に受信できていない可能性があると判断し、Ｓ１０１１へ進み、撮像装置１００の表示部１０５に警告表示（バッテリーグリップとの接続不良等）を行う。
【００２２】
Ｓ１０１２では、撮像装置制御部１０１がバッテリーグリップ制御部２０１へ初期通信を行い、バッテリーグリップ制御部２００がバッテリーグリップ２００の認証を行うためのレジスタ設定を行う。
【００２３】
Ｓ１０１３では、撮像装置制御部１０１が認証ライブラリ１０６から生成された認証データを、図１の信号ライン（ＭＯＳＩ＿ＧＲＩＰ）を通して、バッテリーグリップ制御部２０１へ同期式シリアル通信の一つであるＳＰＩインターフェースで送信する。
【００２４】
Ｓ１０１４では、撮像装置制御部１０１は図１の信号ライン（ＳＲＥＱ＿ＧＲＩＰ）を通して、バッテリーグリップ制御部２０１からのＨレベルの通信要求信号を待つ。撮像装置制御部１０１がバッテリーグリップ制御部２０１からのＨレベルの通信要求信号を検知できた際はＳ１０１７へ進み、検知できなかった際はＳ１０１５へ進み、通信要求信号Ｈレベルを一定時間待つ。一定時間内にバッテリーグリップ制御部２０１からの通信要求信号Ｈレベルを検知できなかった際はバッテリーグリップからの信号を適切に受信できていない可能性があると判断し、Ｓ１０１６へ進み、撮像装置１００の表示部１０５に警告表示（バッテリーグリップとの接続不良等）を行う。
【００２５】
Ｓ１０１７では、撮像装置制御部１０１は図１の信号ライン（ＭＩＳＯ＿ＧＲＩＰ）を通して、バッテリーグリップ制御部２０１からバッテリーグリップ２００の認証データの解読結果を同期式シリアル通信の一つであるＳＰＩインターフェースで受信し、Ｓ１０１８へ進む。
【００２６】
Ｓ１０１８では、撮像装置制御部１０１は図１の信号ライン（ＭＩＳＯ＿ＧＲＩＰ）を通して、バッテリーグリップ制御部２０１から電池２０５の認証結果を同期式シリアル通信の一つであるＳＰＩインターフェースで受信し、Ｓ１０１９へ進む。
【００２７】
Ｓ１０１９では、撮像装置制御部１０１はバッテリーグリップ２００の認証データの解読結果を共通鍵を用いて復号処理し、バッテリーグリップ２００の認証が成功したか否かを判定し、認証が成功したと判定した際はＳ１０２３へ進む。バッテリーグリップ２００の認証が失敗したと判定した際はＳ１０２０へ進み、ユーザーに撮像装置の使用を継続するか否かを選択する表示を撮像装置１００の表示部１０５に行う。ユーザーが撮像装置１００の使用を継続すると選択した際はＳ１０２１へ進み、撮像装置を制限付きで動作を開始する。制限付き動作の一例としては、撮像装置１００を低消費電力状態に限定する等である。使用を継続しないとユーザーが選択した際は、Ｓ１０２２へ進み、撮像装置１００のシャットダウンを行う。
【００２８】
Ｓ１０２３では、撮像装置制御部１０１は電池２０５の認証が成功したか否かを判定し、認証が成功したと判定した際はＳ１０２５へ進む。電池２０５の認証が失敗したと判定した際はＳ１０２４へ進み、ユーザーに撮像装置の使用を継続するか否かを選択する表示を撮像装置１００の表示部１０５に行う。ユーザーが撮像装置１００の使用を継続すると選択した際はＳ１０２５へ進み、撮像装置を制限付きで動作を開始する。制限付き動作の一例としては、撮像装置１００を低消費電力状態に限定する等である。使用を継続しないとユーザーが選択した際は、Ｓ１０２６へ進み、撮像装置１００のシャットダウンを行う。
【００２９】
Ｓ１０２７ではＭＡＩＮスイッチのＯＮ／ＯＦＦを判定し、ＭＡＩＮスイッチがＯＮの場合はＳ１０２８へ進み、撮像装置の通常起動を開始する。Ｓ１０２７でＭＡＩＮスイッチがＯＦＦと判定した際は、ユーザーがＭＡＩＮスイッチをＯＮにするまで起動を待つ。
【００３０】
図３は撮像装置１００の認証時におけるタイミングチャートを表している。
【００３１】
バッテリーグリップ２００内に電池２０５が挿入された状況下において、ｔ１で撮像装置１００内の制御部１０１に電源が供給された後、ｔ１〜ｔ２の期間でアクセサリ２００と電池２０５の認証を行うために必要な制御部１０１のポートの初期化及び初期設定を開始する。
【００３２】
ｔ２でバッテリーグリップが装着された際において、バッテリーグリップ制御部２０１は撮像装置１００から図１の信号ライン（ＣＡＭＥＲＡＳＥＬ）を通してＬレベルの接続信号を受信し、バッテリーグリップ２００は撮像装置１００が装着されたことを認識する。
【００３３】
また、ｔ２でバッテリーグリップが装着された際において、撮像装置制御部１０１は撮像装置１００から図１の信号ライン（ＬＧＳＥＬ）を通してＬレベルの接続信号を受信し、撮像装置１００はバッテリーグリップ２００が装着されたことを認識する。
【００３４】
ｔ３で撮像装置制御部１０１は図１の信号ライン（ＭＲＥＱ＿ＧＲＩＰ）を通して、バッテリーグリップ制御部２０１へエッジ割り込み信号であるＨレベルの通信要求信号を送信した後、バッテリーグリップ制御部２０１からの応答を待つ。
【００３５】
ｔ４で撮像装置制御部１０１は図１の信号ライン（ＳＲＤＹ＿ＧＲＩＰ）を通して、バッテリーグリップ制御部２０１からエッジ割り込み信号であるＨレベルの通信応答信号を受信する。
【００３６】
ｔ５で撮像装置制御部１０１は図１の信号ライン（ＳＣＬＫ＿ＧＲＩＰ）を通して、バッテリーグリップ制御部２０１へシリアルクロックを送信する。このシリアルクロックに同期して、撮像装置制御部１０１は図１の信号ライン（ＭＯＳＩ＿ＧＲＩＰ）を通してバッテリーグリップ２００の認証データをバッテリーグリップ制御部２０１へ送信する。
【００３７】
ｔ６で撮像装置制御部１０１は図１の信号ライン（ＳＲＥＱ＿ＧＲＩＰ）を通して、バッテリーグリップ制御部２０１からエッジ割り込み信号の通信応答信号Ｈレベルを受信する。
【００３８】
ｔ７で撮像装置制御部１０１は図１の信号ライン（ＳＣＬＫ＿ＧＲＩＰ）を通して、バッテリーグリップ制御部２０１へシリアルクロックを送信する。このシリアルクロックに同期して、撮像装置制御部１０１はバッテリーグリップ２００の認証ＩＣ２０６により解読したバッテリーグリップ２００の認証データの解読結果を図１の信号ライン（ＭＩＳＯ＿ＧＲＩＰ）を通してバッテリーグリップ制御部２０１から受信する。
【００３９】
ｔ８で撮像装置制御部１０１は図１の信号ライン（ＳＣＬＫ＿ＧＲＩＰ）を通して、バッテリーグリップ制御部２０１へシリアルクロックを送信する。このシリアルクロックに同期して、撮像装置制御部１０１は電池２０５の認証結果を図１の信号ライン（ＭＩＳＯ＿ＧＲＩＰ）を通してバッテリーグリップ制御部２０１から受信する。
【００４０】
図４は撮像装置１００のバッテリーグリップ２００及び電池２０５の認証を行う際のタイミングを示した図である。バッテリーグリップ２００内に電池２０５が２個挿入された状況下において、バッテリーグリップ２００  及び  バッテリーグリップ２００内のバッテリーケース左側に装填されている電池２０５（電池Ｌ），  バッテリーケース右側に装填されている電池２０５（電池Ｒ）  の認証を行うタイミングを詳細に説明する。
【００４１】
ｔ１はバッテリーグリップ２００に電池２０５が２個装填された時間を示している。ｔ１のタイミングで、バッテリーグリップ制御部２０１へ電池２０５より通電が開始されて、電池２０５（電池Ｌ）の認証を開始する。具体的には、バッテリーグリップ制御部２０１がバッテリーグリップ２００の認証ライブラリ２０２から認証ＩＣ２０７へ認証データを送信し、認証ＩＣ２０７は共通鍵を用いて認証データの解読を行う。次にバッテリーグリップ制御部２０１は認証ＩＣ２０７から認証データの解読結果を受信する。
【００４２】
ｔ２のタイミングで撮像装置制御部１０１へ通電が開始されて、撮像装置制御部１０１は電池２０５（電池Ｌ）と並行してバッテリーグリップ２００の認証を開始し、撮像装置１００の認証ライブラリ１０６はバッテリーグリップ制御部２０１へ認証データを送信する。
【００４３】
ｔ３のタイミングで、電池２０５（電池Ｒ）の認証を開始する。具体的には、バッテリーグリップ制御部２０１がバッテリーグリップ２００の認証ライブラリ２０２から認証ＩＣ２０７へ認証データを送信し、認証ＩＣ２０７は共通鍵を用いて認証データの解読を行う。次にバッテリーグリップ制御部２０１は認証ＩＣ２０７から認証データの解読結果を受信する。
【００４４】
バッテリーグリップ制御部２０１は、ｔ３で電池２０５（電池Ｌ）の電池認証通信完了後、ｔ３〜ｔ５の間で認証演算（認証データの解読結果の複合化）を行い電池２０５（電池Ｌ）の認証が成功したか否かを判定する。バッテリーグリップ制御部２０１は、ｔ５で電池２０５（電池Ｌ）の認証演算を終了した後、ｔ５〜ｔ９の間で演算結果をバッテリーグリップ制御１０１のＲＡＭに展開し、バッテリーグリップ２００の認証が完了するｔ１３まで待機する。
【００４５】
バッテリーグリップ制御部２０１は、ｔ６で電池２０５（電池Ｒ）の電池認証通信完了後、ｔ６〜ｔ８の間で認証演算（認証データの解読結果の複合化）を行い電池２０５（電池Ｒ）の認証が成功したか否かを判定する。バッテリーグリップ制御部２０１は、ｔ８で電池２０５（電池Ｒ）の認証演算を終了した後、ｔ８〜ｔ１０の間で演算結果をバッテリーグリップ制御１０１のＲＡＭに展開し、電池２０５（電池Ｌ）の認証が完了するｔ１４まで待機する。
【００４６】
ｔ４で撮像装置制御部１０１は、バッテリーグリップ制御部２０１へ認証データの送信を完了し、バッテリーグリップ制御部２０１はバッテリーグリップ認証ＩＣ２０６との認証通信を開始し、共通鍵を用いて認証データの解読を行う。ｔ４〜ｔ７でバッテリーグリップ制御部２０１は認証ＩＣ２０６との通信を完了し、ｔ７〜ｔ１１の間でバッテリーグリップ制御部は撮像装置制御部１０１へバッテリーグリップ２００の認証データの解読結果を送信する。ｔ１１〜ｔ１２の間で撮像装置制御部１０１は認証演算（認証データの解読結果の複合化）を行い、バッテリーグリップの認証が成功したか否かを判定する。ｔ１２〜ｔ１３の間で演算結果を撮像装置制御１０１のＲＡＭに展開し、バッテリーグリップ２００の認証を終了する。
【００４７】
ｔ１３で撮像装置制御部１０１がバッテリーグリップ２００の認証を終了した後、ｔ１３〜ｔ１４の間で撮像装置制御部１０１はバッテリーグリップ制御部２０１から電池２０５（電池Ｌ）の認証結果を受信し、電池２０５（電池Ｌ）の認証を終了する。
【００４８】
ｔ１４で撮像装置制御部１０１が電池２０５（電池Ｌ）の認証を終了した後、ｔ１４〜ｔ１５の間で撮像装置制御部１０１はバッテリーグリップ制御部２０１から電池２０５（電池Ｒ）の認証結果を受信し、電池２０５（電池Ｒ）の認証を終了する。
【符号の説明】
【００４９】
１００  撮像装置、１０１  撮像装置制御部、１０７  認証ライブラリ（撮像装置側）、
２００  バッテリーグリップ、２０１  バッテリーグリップ制御部、
２０２  認証ライブラリ（バッテリーグリップ側）、２０５  電池、
２０７  認証ＩＣ
【図１】
2019129475.tif 000003
【図２】
2019129475.tif 000004
【図３】
2019129475.tif 000005
【図４】
2019129475.tif 000006